(57)【要約】【課題】固定刃と回転刃を備える作業機において、騒音の発生を抑制しつつ、チップの摺動抵抗を低減することが可能な技術を提供する。【解決手段】作業機は、中心軸に対する位置が固定されている固定刃と、前記中心軸周りに回転する回転刃を備えていてもよい。前記回転刃は、前記固定刃に当接して摺動するチップを有していてもよい。前記固定刃は、前記回転刃が回転する際の前記チップの軌道に対応する範囲に、櫛刃が形成された切断部と、前記櫛刃が形成されていない非切断部を有していてもよい。前記非切断部の少なくとも一部において、前記チップの径方向の一部が前記固定刃に乗り上げていてもよく、前記チップの径方向の残部が前記固定刃に乗り上げていなくてもよい。【選択図】図６
2020156424.tif 000002
【特許請求の範囲】
【請求項１】
中心軸に対する位置が固定されている固定刃と、
前記中心軸周りに回転する回転刃を備えており、
前記回転刃は、前記固定刃に当接して摺動するチップを有しており、
前記固定刃は、前記回転刃が回転する際の前記チップの軌道に対応する範囲に、櫛刃が形成された切断部と、前記櫛刃が形成されていない非切断部を有しており、
前記非切断部の少なくとも一部において、前記チップの径方向の一部が前記固定刃に乗り上げており、前記チップの径方向の残部が前記固定刃に乗り上げていない、作業機。
【請求項２】
前記回転刃を前記固定刃に押し付ける付勢部材をさらに備える、請求項１の作業機。
【請求項３】
前記非切断部の前記少なくとも一部において、前記チップの径方向の内側の端部が前記固定刃に乗り上げている、請求項２の作業機。
【請求項４】
前記作業機の使用時に、ユーザは前記作業機の後方に位置しており、
前記非切断部が、前記固定刃の後部に配置されている、請求項１から３の何れか一項の作業機。
【請求項５】
前記固定刃の表面に、前記チップの摺動抵抗を低減するためのコーティングが施されている、請求項１から４の何れか一項の作業機。
【請求項６】
前記回転刃の前記チップ以外の箇所が、前記固定刃に対して当接していない、請求項１から５の何れか一項の作業機。
【発明の詳細な説明】
【技術分野】
【０００１】
本明細書は、作業機に関する。
【背景技術】
【０００２】
特許文献１に、作業機が開示されている。前記作業機は、中心軸に対する位置が固定されている固定刃と、前記中心軸周りに回転する回転刃を備えている。前記固定刃は、櫛刃が形成された切断部と、前記櫛刃が形成されていない非切断部を有している。
【先行技術文献】
【特許文献】
【０００３】
【特許文献１】特開２００９−１１８８２２号公報
【発明の概要】
【発明が解決しようとする課題】
【０００４】
回転刃が、固定刃に当接して摺動するチップを有している場合、チップに作用する摺動抵抗が大きいと、回転刃を回転させる際に消費するエネルギーが増大する。このため、非切断部において、チップの全体が固定刃に乗り上げる構成とすると、チップの摺動抵抗が大きくなり、回転刃を回転させる際に消費するエネルギーが増大してしまう。逆に、非切断部において、チップの全体が固定刃に乗り上げない構成とすると、切断部においてチップが再び固定刃に乗り上げる際に衝突音が発生し、騒音を生じるおそれがある。本明細書では、固定刃と回転刃を備える作業機において、騒音の発生を抑制しつつ、チップの摺動抵抗を低減することが可能な技術を提供する。
【課題を解決するための手段】
【０００５】
本明細書が開示する作業機は、中心軸に対する位置が固定されている固定刃と、前記中心軸周りに回転する回転刃を備えていてもよい。前記回転刃は、前記固定刃に当接して摺動するチップを有していてもよい。前記固定刃は、前記回転刃が回転する際の前記チップの軌道に対応する範囲に、櫛刃が形成された切断部と、前記櫛刃が形成されていない非切断部を有していてもよい。前記非切断部の少なくとも一部において、前記チップの径方向の一部が前記固定刃に乗り上げていてもよく、前記チップの径方向の残部が前記固定刃に乗り上げていなくてもよい。
【０００６】
上記の構成によれば、非切断部の少なくとも一部において、チップの一部のみが固定刃に乗り上げているので、チップの全体が固定刃に乗り上げている場合に比べて、チップの摺動抵抗を小さくすることができる。また、上記の構成によれば、非切断部において、チップの一部は常に固定刃に乗り上げているので、チップが固定刃に乗り上げていない状態から再び固定刃に乗り上げた状態に切り替わることに起因する衝突音が発生することがない。上記の構成によれば、固定刃と回転刃を備える作業機において、騒音の発生を抑制しつつ、チップの摺動抵抗を低減することができる。
【図面の簡単な説明】
【０００７】
【図１】実施例１，２の芝刈機１０，１００を示す斜視図である。
【図２】実施例１，２の芝刈機１０，１００の内部構造を示す断面図である。
【図３】実施例１，２の芝刈機１０，１００のカッターユニット２０の内部構造を示す断面図である。
【図４】実施例１の芝刈機１０の固定刃３６の上面図である。
【図５】実施例１の芝刈機１０のカッターユニット２０の底面図である。
【図６】実施例１の芝刈機１０の固定刃３６と回転刃３８の上面図である。
【図７】実施例２の芝刈機１００の固定刃１０２の上面図である。
【図８】実施例２の芝刈機１００の固定刃１０２と回転刃３８の上面図である。
【発明を実施するための形態】
【０００８】
以下では、本発明の代表的かつ非限定的な具体例について、図面を参照して詳細に説明する。この詳細な説明は、本発明の好ましい例を実施するための詳細を当業者に示すことを単純に意図しており、本発明の範囲を限定することを意図したものではない。また、以下に開示される追加的な特徴ならびに発明は、さらに改善された作業機、その製造方法及び使用方法を提供するために、他の特徴や発明とは別に、又は共に用いることができる。
【０００９】
また、以下の詳細な説明で開示される特徴や工程の組み合わせは、最も広い意味において本発明を実施する際に必須のものではなく、特に本発明の代表的な具体例を説明するためにのみ記載されるものである。さらに、上記及び下記の代表的な具体例の様々な特徴、ならびに、独立及び従属クレームに記載されるものの様々な特徴は、本発明の追加的かつ有用な実施形態を提供するにあたって、ここに記載される具体例のとおりに、あるいは列挙された順番のとおりに組合せなければならないものではない。
【００１０】
本明細書及び／又は特許請求の範囲に記載された全ての特徴は、実施例及び／又はクレームに記載された特徴の構成とは別に、出願当初の開示ならびにクレームされた特定事項に対する限定として、個別に、かつ互いに独立して開示されることを意図するものである。さらに、全ての数値範囲及びグループ又は集団に関する記載は、出願当初の開示ならびにクレームされた特定事項に対する限定として、それらの中間の構成を開示する意図を持ってなされている。
【００１１】
１またはそれ以上の実施形態において、作業機は、中心軸に対する位置が固定されている固定刃と、前記中心軸周りに回転する回転刃を備えていてもよい。前記回転刃は、前記固定刃に当接して摺動するチップを有していてもよい。前記固定刃は、前記回転刃が回転する際の前記チップの軌道に対応する範囲に、櫛刃が形成された切断部と、前記櫛刃が形成されていない非切断部を有していてもよい。前記非切断部の少なくとも一部において、前記チップの径方向の一部が前記固定刃に乗り上げていてもよく、前記チップの径方向の残部が前記固定刃に乗り上げていなくてもよい。
【００１２】
上記の構成によれば、非切断部の少なくとも一部において、チップの一部のみが固定刃に乗り上げているので、チップの全体が固定刃に乗り上げている場合に比べて、チップの摺動抵抗を小さくすることができる。また、上記の構成によれば、非切断部において、チップの一部は常に固定刃に乗り上げているので、チップが固定刃に乗り上げていない状態から再び固定刃に乗り上げた状態に切り替わることに起因する衝突音が発生することがない。上記の構成によれば、固定刃と回転刃を備える作業機において、騒音の発生を抑制しつつ、チップの摺動抵抗を低減することができる。
【００１３】
１またはそれ以上の実施形態において、前記作業機は、前記回転刃を前記固定刃に押し付ける付勢部材をさらに備えていてもよい。
【００１４】
回転刃が固定刃に対して付勢部材によって押し付けられている場合、回転刃が回転する際のチップの摺動抵抗はより大きくなる。また、回転刃が固定刃に対して付勢部材によって押し付けられている場合、チップが固定刃に乗り上げていない状態ではチップが深く沈み込み、チップが再び固定刃に乗り上げる際に大きな衝突音が発生する。上記の構成によれば、回転刃を固定刃に押し付ける付勢部材を備える作業機においても、騒音の発生を抑制しつつ、チップの摺動抵抗を低減することができる。
【００１５】
１またはそれ以上の実施形態において、前記作業機は、前記非切断部の前記少なくとも一部において、前記チップの径方向の内側の端部が前記固定刃に乗り上げていてもよい。
【００１６】
付勢部材が回転刃を固定刃に押し付ける付勢力は、多くの場合、回転刃が回転する際のチップの軌道よりも内側の範囲に作用する。この場合、回転刃は、中心軸の近傍の範囲が固定刃に近づく形状に撓むことになる。このため、チップの外側の端部が固定刃に乗り上げ、内側の端部が固定刃に乗り上げていない場合には、チップの内側の端部が固定刃に乗り上げ、外側の端部が固定刃に乗り上げていない場合に比べて、チップの端部の沈み込みが大きくなる。チップの端部の沈み込みが大きくなると、その端部が再び固定刃に乗り上げる際に大きな衝突音が生じてしまう。上記の構成によれば、非切断部の少なくとも一部において、チップの径方向の内側の端部が固定刃に乗り上げているので、チップの端部が大きく沈み込むことを防止することができ、大きな衝突音の発生を抑制することができる。
【００１７】
１またはそれ以上の実施形態において、前記作業機の使用時に、ユーザは前記作業機の後方に位置していてもよい。前記非切断部は、前記固定刃の後部に配置されていてもよい。
【００１８】
作業機の使用時にユーザが作業機の後方に位置しており、非切断部が固定刃の後部に配置されている場合、非切断部はユーザに近い位置に配置されることになる。このため、非切断部において、チップが固定刃に乗り上げていない状態から固定刃に乗り上げた状態に切り替わって衝突音が発生すると、ユーザに聞こえる騒音は大きなものとなる。上記の構成によれば、非切断部がユーザに近い位置に配置される場合に、非切断部で騒音が発生することを抑制することができる。
【００１９】
１またはそれ以上の実施形態において、前記作業機は、前記固定刃の表面に、前記チップの摺動抵抗を低減するためのコーティングが施されていてもよい。
【００２０】
上記の構成によれば、回転刃が回転する際のチップの摺動抵抗をさらに小さくすることができる。
【００２１】
１またはそれ以上の実施形態において、前記回転刃の前記チップ以外の箇所は、前記固定刃に対して当接していなくてもよい。
【００２２】
上記の構成によれば、回転刃が回転する際の抵抗を小さくすることができる。
【００２３】
（実施例１）
図１に示す芝刈機１０は、園芸用の作業機であり、主に芝生の刈り込み作業のために使用される。本実施例の芝刈機１０は、ユーザによって操作される手押し式の芝刈機であるが、他の実施形態として、芝刈機１０は少なくとも部分的に自律走行が可能な芝刈機であってもよい。
【００２４】
図１、図２に示すように、芝刈機１０は、一対の車輪１２を有する本体１４と、本体１４に設けられているとともに、地面に生える芝を刈るカッター１６と、カッター１６によって刈られた芝を収集する集草ボックス１８とを備える。集草ボックス１８は、本体１４に対して着脱可能に取り付けられており、収集された芝をユーザが取り除くときに、本体１４から取り外されることができる。ここで、本実施例の芝刈機１０は、二つの車輪１２を有しているが、車輪１２の数は二つに限定されない。芝刈機１０の本体１４は、少なくとも一つの車輪１２を備えればよい。
【００２５】
本体１４は、カッター１６が設けられたカッターユニット２０と、ハンドルユニット２２とを備える。カッター１６は、地面に生える芝生に対向するように、カッターユニット２０の底部に取り付けられている。図２に示すように、カッターユニット２０は、カッター１６が取り付けられるカッター取付部２４と、カッター１６を駆動するモータ２６と、モータ２６によって駆動される送風ファン２８を有する。
【００２６】
ハンドルユニット２２は、カッターユニット２０から上方に延びている。ハンドルユニット２２は、カッターユニット２０に対して揺動可能に接続されている。ハンドルユニット２２の枢軸は、一対の車輪１２の回転軸と平行である。ハンドルユニット２２の頂部には、ユーザによって把持される操作グリップ３０が設けられている。通常、ユーザは、芝刈機１０の背後に立ち、操作グリップ３０を把持して芝刈機１０を操作する。操作グリップ３０には、モータ２６を起動するためのトリガスイッチ３２が設けられている。トリガスイッチ３２は、モータ２６に電気的に接続されており、ユーザがトリガスイッチ３２を操作している間、モータ２６に電力を供給してカッター１６を駆動させる。
【００２７】
集草ボックス１８は、ハンドルユニット２２の前方上部に取り付けられている。本体１４には、カッター１６によって刈られた芝を集草ボックス１８へ案内する集草ダクト３４が設けられている（図２参照）。集草ダクト３４は、カッターユニット２０とハンドルユニット２２の両者に亘って延びており、集草ボックス１８の上部に接続されている。前述したように、カッターユニット２０は、モータ２６によって駆動される送風ファン２８を有する。送風ファン２８は、モータ２６を冷却するだけでなく、芝を搬送する空気の流れを集草ダクト３４内に形成する。なお、集草ダクト３４の具体的な構成については特に限定されない。一例ではあるが、本実施例では、集草ダクト３４の大部分がハンドルユニット２２に設けられており、集草ダクト３４はハンドルユニット２２の長手方向に沿って延びている。
【００２８】
図３に示すように、カッター１６は、固定刃３６と、回転刃３８を備えている。固定刃３６の上面と回転刃３８の下面は、互いに対向している。カッター取付部２４は、固定刃３６が取り付けられる固定シャフト４０と、回転刃３８が取り付けられる回転シャフト４２を備えている。固定シャフト４０は中心軸Ｃが上下方向に沿うようにカッターユニット２０に固定されている。回転シャフト４２はベアリング４３を介して固定シャフト４０に回転可能に保持されている。回転シャフト４２は、モータ２６の駆動により中心軸Ｃ周りに回転する。回転シャフト４２には、回転刃３８の上面に当接するプレート４４と、プレート４４を下方に向けて付勢するバネ４６が設けられている。回転シャフト４２が回転すると、回転刃３８と、プレート４４と、バネ４６は、一体的に回転する。固定シャフト４０の下端には、固定刃３６を抜け止めするナット４８と、ナット４８を覆うカバー５０が取り付けられている。
【００２９】
図４に示すように、固定刃３６の外縁には、切断部５２と非切断部５４が形成されている。非切断部５４は、固定刃３６の後部に配置されており、切断部５２は、非切断部５４よりも前方に配置されている。切断部５２には、刃５２ａと刃溝５２ｂが周方向に交互に並んで配置された櫛刃５２ｃが形成されている。非切断部５４には、径方向の外側に突出する係止片５４ａと、周方向に沿って配置された複数の長孔５４ｂが形成されている。図５に示すように、非切断部５４の係止片５４ａは、カッターユニット２０の下面に形成された係止溝２０ａに嵌合する。
【００３０】
図６に示すように、回転刃３８の外縁には、径方向の外側に向けて突出する複数の支持片３８ａが形成されている。複数の支持片３８ａの下面には、複数のチップ３８ｂが設けられている。複数のチップ３８ｂは、固定刃３６の上面に摺動可能に当接している。回転刃３８が固定刃３６に対して回転すると、固定刃３６の刃溝５２ｂに入り込んだ芝が、固定刃３６の刃５２ａと回転刃３８のチップ３８ｂによって切断される。これによって、芝生を刈り込むことができる。なお、固定刃３６の上面に、フッ素、シリコン、セラミック等のコーティングが施されている場合、チップ３８ｂの摺動抵抗を低減することができる。
【００３１】
本実施例では、固定刃３６の切断部５２において、刃溝５２ｂの径方向の内側端部は、回転刃３８のチップ３８ｂの径方向の内側端部よりも外側に位置する。このため、回転刃３８が固定刃３６に対して回転する際に、それぞれのチップ３８ｂは、常に内側の端部が固定刃３６に乗り上げており、チップ３８ｂの全体が刃溝５２ｂに沈み込んでしまうことがない。このような構成とすることによって、チップ３８ｂが刃溝５２ｂへ沈み込んだ後、再び刃５２ａに乗り上げる際の衝突音の発生を抑制することができる。例えば、固定刃３６の切断部５２において、チップ３８ｂの１０％−５０％程度が、固定刃３６に乗り上げており、チップ３８ｂの残りの部分が、固定刃３６に乗り上げていない場合、衝突音の発生を抑制しつつ、チップ３８ｂの摺動抵抗を大幅に低減することができる。
【００３２】
本実施例では、固定刃３６の非切断部５４において、チップ３８ｂが摺動する位置に長孔５４ｂが形成されている。これによって、チップ３８ｂが非切断部５４を通過する際にチップ３８ｂと固定刃３６が当接する面積を小さくことができ、チップ３８ｂの摺動抵抗を小さくすることができる。
【００３３】
また、本実施例では、固定刃３６の非切断部５４において、長孔５４ｂの径方向の内側端部は、チップ３８ｂの径方向の内側端部よりも内側に位置しており、長孔５４ｂの径方向の外側端部は、チップ３８ｂの径方向の外側端部よりも内側に位置している。このため、回転刃３８が固定刃３６に対して回転する際に、それぞれのチップ３８ｂは、常に外側の端部が固定刃３６に乗り上げており、チップ３８ｂの全体が長孔５４ｂに沈み込んでしまうことがない。このような構成とすることによって、チップ３８ｂが長孔５４ｂへ沈み込んだ後、再び固定刃３６に乗り上げる際の衝突音の発生を抑制することができる。例えば、固定刃３６の非切断部５４の長孔５４ｂが形成された箇所において、チップ３８ｂの１０％−５０％程度が、固定刃３６に乗り上げており、チップ３８ｂの残りの部分が、固定刃３６に乗り上げていない場合、衝突音の発生を抑制しつつ、チップ３８ｂの摺動抵抗を大幅に低減することができる。
【００３４】
（実施例２）
本実施例の芝刈機１００は、実施例１の芝刈機１０と同様の構成を備えている。本実施例の芝刈機１００は、実施例１の固定刃３６の代わりに、固定刃１０２を備える。
【００３５】
図７に示すように、固定刃１０２の外縁には、切断部５２と非切断部５４が形成されている。非切断部５４は、固定刃１０２の後部に配置されており、切断部５２は、非切断部５４よりも前方に配置されている。切断部５２には、刃５２ａと刃溝５２ｂが周方向に交互に並んで配置された櫛刃５２ｃが形成されている。非切断部５４には、径方向の外側に突出する係止片５４ａと、径方向の内側に切り欠かれた切り欠き５４ｃが形成されている。切り欠き５４ｃは、係止片５４ａが形成されている箇所を除いて、非切断部５４の全体にわたって形成されている。
【００３６】
図８に示すように、本実施例では、固定刃１０２の非切断部５４において、チップ３８ｂが摺動する位置に切り欠き５４ｃが形成されている。これによって、チップ３８ｂが非切断部５４を通過する際にチップ３８ｂと固定刃１０２が当接する面積を小さくことができ、摺動抵抗を小さくすることができる。
【００３７】
また、固定刃１０２の非切断部５４において、切り欠き５４ｃの径方向の内側端部は、チップ３８ｂの径方向の内側端部よりも外側であって、チップ３８ｂの径方向の外側端部よりも内側に位置している。このため、回転刃３８が固定刃１０２に対して回転する際に、それぞれのチップ３８ｂは、常に内側の端部が固定刃１０２に乗り上げており、チップ３８ｂの全体が切り欠き５４ｃに落ち込んでしまうことがない。このような構成とすることによって、チップ３８ｂが切り欠き５４ｃへ沈み込んだ後、再び固定刃１０２に乗り上げる際の衝突音の発生を抑制することができる。例えば、固定刃１０２の非切断部５４の切り欠き５４ｃが形成された箇所において、チップ３８ｂの１０％−５０％程度が、固定刃３６に乗り上げており、チップ３８ｂの残りの部分が、固定刃３６に乗り上げていない場合、衝突音の発生を抑制しつつ、チップ３８ｂの摺動抵抗を大幅に低減することができる。
【００３８】
回転刃３８は固定刃１０２に対して、中心軸Ｃの近傍に配置されたバネ４６の付勢力によって押し付けられている。このため、回転刃３８は下に凸な形状でわずかに撓んでいる。この場合、チップ３８ｂの径方向の内側の端部が固定刃１０２からの沈み込みと乗り上げを行う場合、チップ３８ｂの径方向の外側の端部が固定刃１０２からの沈み込みと乗り上げを行う場合に比べて、より大きな騒音を生じることになる。本実施例では、固定刃１０２の非切断部５４において、チップ３８ｂは、常に内側の端部が固定刃１０２に乗り上げている。このため、実施例１の芝刈機１０のように、固定刃３６の非切断部５４において、チップ３８ｂの外側の端部が固定刃３６に乗り上げている場合に比べて、騒音の発生をより抑制することができる。
【００３９】
以上のように、１またはそれ以上の実施形態において、芝刈機１０，１００（作業機の例）は、中心軸Ｃに対する位置が固定されている固定刃３６，１０２と、中心軸Ｃ周りに回転する回転刃３８を備えている。回転刃３８は、固定刃３６，１０２に当接して摺動するチップ３８ｂを有している。固定刃３６，１０２は、回転刃３８が回転する際のチップ３８ｂの軌道に対応する範囲に、櫛刃５２ｃが形成された切断部５２と、櫛刃５２ｃが形成されていない非切断部５４を有している。非切断部５４の少なくとも一部において、チップ３８ｂの径方向の一部は固定刃３６，１０２に乗り上げており、チップ３８ｂの径方向の残部は固定刃３６，１０２に乗り上げていない。
【００４０】
上記の構成によれば、非切断部５４の少なくとも一部において、チップ３８ｂの一部のみが固定刃３６，１０２に乗り上げているので、チップ３８ｂの全体が固定刃３６，１０２に乗り上げている場合に比べて、チップ３８ｂの摺動抵抗を小さくすることができる。また、上記の構成によれば、非切断部５４において、チップ３８ｂの一部は常に固定刃３６，１０２に乗り上げているので、チップ３８ｂが固定刃３６，１０２に乗り上げていない状態から再び固定刃３６，１０２に乗り上げた状態に切り替わることに起因する衝突音が発生することがない。上記の構成によれば、固定刃３６，１０２と回転刃３８を備える芝刈機１０，１００において、騒音の発生を抑制しつつ、チップ３８ｂの摺動抵抗を低減することができる。
【００４１】
１またはそれ以上の実施形態において、芝刈機１０，１００は、回転刃３８を固定刃３６，１０２に押し付けるバネ４６（付勢部材の例）をさらに備えている。
【００４２】
回転刃３８が固定刃３６，１０２に対してバネ４６によって押し付けられている場合、回転刃３８が回転する際のチップ３８ｂの摺動抵抗はより大きくなる。また、回転刃３８が固定刃３６，１０２に対してバネ４６によって押し付けられている場合、チップ３８ｂが固定刃３６，１０２に乗り上げていない状態ではチップ３８ｂが深く沈み込み、チップ３８ｂが再び固定刃３６，１０２に乗り上げる際に大きな衝突音が発生する。上記の構成によれば、回転刃３８を固定刃３６，１０２に押し付けるバネ４６を備える芝刈機１０，１００においても、騒音の発生を抑制しつつ、チップ３８ｂの摺動抵抗を低減することがきる。
【００４３】
１またはそれ以上の実施形態において、芝刈機１００は、非切断部５４の少なくとも一部において、チップ３８ｂの径方向の内側の端部が固定刃１０２に乗り上げている。
【００４４】
バネ４６が回転刃３８を固定刃３６，１０２に押し付ける付勢力は、回転刃３８が回転する際のチップ３８ｂの軌道よりも内側の範囲に作用する。この場合、回転刃３８は、中心軸Ｃの近傍の範囲が固定刃３６，１０２に近づく形状に撓むことになる。このため、芝刈機１０の非切断部５４のように、チップ３８ｂの外側の端部が固定刃３６に乗り上げ、内側の端部が固定刃３６に乗り上げていない場合には、芝刈機１００の非切断部５４のように、チップ３８ｂの内側の端部が固定刃１０２に乗り上げ、外側の端部が固定刃１０２に乗り上げていない場合に比べて、チップ３８ｂの端部の沈み込みが大きくなる。チップ３８ｂの端部の沈み込みが大きくなると、その端部が再び固定刃３６に乗り上げる際に大きな衝突音が生じてしまう。上記の芝刈機１００の構成によれば、非切断部５４の少なくとも一部において、チップ３８ｂの径方向の内側の端部が固定刃１０２に乗り上げているので、チップ３８ｂの端部が大きく沈み込むことを防止することができ、大きな衝突音の発生を抑制することができる。
【００４５】
１またはそれ以上の実施形態において、芝刈機１０，１００の使用時に、ユーザは芝刈機１０，１００の後方に位置している。非切断部５４は、固定刃３６，１０２の後部に配置されている。
【００４６】
芝刈機１０，１００の使用時にユーザが芝刈機１０，１００の後方に位置しており、非切断部５４が固定刃３６，１０２の後部に配置されている場合、非切断部５４はユーザに近い位置に配置されることになる。このため、非切断部５４において、チップ３８ｂが固定刃３６，１０２に乗り上げていない状態から固定刃３６，１０２に乗り上げた状態に切り替わって衝突音が発生すると、ユーザに聞こえる騒音は大きなものとなる。上記の構成によれば、非切断部５４がユーザに近い位置に配置される場合に、非切断部５４で騒音が発生することを抑制することができる。
【００４７】
１またはそれ以上の実施形態において、芝刈機１０，１００は、固定刃３６，１０２の表面に、チップ３８ｂの摺動抵抗を低減するためのコーティングが施されている。
【００４８】
上記の構成によれば、回転刃３８が回転する際のチップ３８ｂの摺動抵抗をさらに小さくすることができる。
【００４９】
１またはそれ以上の実施形態において、回転刃３８のチップ３８ｂ以外の箇所は、固定刃３６，１０２に対して当接していない。
【００５０】
上記の構成によれば、回転刃３８が回転する際の抵抗を小さくすることができる。
【００５１】
なお、上記の実施例では、作業機が芝刈機１０，１００である構成について説明したが、作業機は他の種類の作業機であってもよい。また、上記の実施例では、回転刃３８がモータ２６によって回転する構成について説明したが、回転刃３８を回転させる原動機は、例えばエンジンであってもよい。
【符号の説明】
【００５２】
１０    ：芝刈機
１２    ：車輪
１４    ：本体
１６    ：カッター
１８    ：集草ボックス
２０    ：カッターユニット
２０ａ  ：係止溝
２２    ：ハンドルユニット
２４    ：カッター取付部
２６    ：モータ
２８    ：送風ファン
３０    ：操作グリップ
３２    ：トリガスイッチ
３４    ：集草ダクト
３６    ：固定刃
３８    ：回転刃
３８ａ  ：支持片
３８ｂ  ：チップ
４０    ：固定シャフト
４２    ：回転シャフト
４３    ：ベアリング
４４    ：プレート
４６    ：バネ
４８    ：ナット
５０    ：カバー
５２    ：切断部
５２ａ  ：刃
５２ｂ  ：刃溝
５２ｃ  ：櫛刃
５４    ：非切断部
５４ａ  ：係止片
５４ｂ  ：長孔
５４ｃ  ：切り欠き
１００  ：芝刈機
１０２  ：固定刃
【図１】
2020156424.tif 000003
【図２】
2020156424.tif 000004
【図３】
2020156424.tif 000005
【図４】
2020156424.tif 000006
【図５】
2020156424.tif 000007
【図６】
2020156424.tif 000008
【図７】
2020156424.tif 000009
【図８】
2020156424.tif 000010